(57)【要約】【課題】オフィスにある複数の事務機器の中から、ユーザが送信するデータ種別および現在ユーザがいる位置情報より、ユーザにとって最適の事務機器を選択し、ユーザに通知することを可能とする事務機器使用支援システム、サーバ、プログラムおよび記録媒体を提供する。【解決手段】ユーザが文書送信を希望した時に、ユーザが所有する携帯情報端末４を介して事務機器管理サーバ２に対し、事務機器情報を要求する。事務機器管理サーバ２はユーザの現在の位置情報および送信を希望する文書の種類情報から事務機器管理サーバが、ユーザに適した事務機器情報およびマップ情報を送信することによりユーザにとって最適な事務機器を使用することができる。【選択図】　　　　図１
2004070518.tif 000002
【特許請求の範囲】
【請求項１】
各々が、無線送受信装置および記憶装置を備え、かつ有線ネットワークに接続されている複数の事務用機器と、該事務用機器と無線通信可能な無線送受信装置を備える携帯情報端末と、前記有線ネットワークに接続されている事務機器管理サーバと、前記有線ネットワークにより構成されるシステムにおいて、
ユーザが前記携帯情報端末から前記事務機器対して前記無線送受信機を介して文書を送信する手段と、
ユーザが文書送信を希望したときに、ユーザは所有する前記携帯情報端末を介して、前記事務機器管理サーバに対して前記事務機器情報を要求する手段と、
前記事務機器情報を要求された前記事務機器管理サーバは、現在のユーザの位置情報およびユーザが送信を希望する文書の種類情報を、前記携帯情報端末に備えられた前記無線送受信機および前記事務機器に接続された前記無線送受信機、および前記有線ネットワークを介して獲得する手段と、
前記事務機器管理サーバが、獲得した情報より、送信を希望するユーザに適した前記事務機器情報およびマップ情報を作成およびユーザに送信する手段と、
前記事務機器情報を受信したユーザは、それらを利用して、現在の位置において、使用できる最適な前記事務機器を選択する手段を有することを特徴とする事務機器使用支援システム。
【請求項２】
前記事務機器管理サーバが、現在のユーザの位置情報、およびユーザが送信する文書の種類情報から、そのユーザにとって最適な前記事務機器情報を作成する手段として、前記事務機器管理サーバ上に、あらかじめ事務機器管理テーブルを作成しておき、現在のユーザの位置情報、およびユーザが送信する文書の種類情報より、そのユーザにとって最適な前記事務機器情報を作成することを特徴とする請求項１記載の事務機器使用支援システム。
【請求項３】
前記事務機器管理サーバ上の前記事務機器管理テーブルは、文書を送信するユーザのための最適な事務機器情報を作成するうえで必要な事務機器の種別、性能、位置情報などの事務機器のパラメータといった情報を含み、新規に事務機器を導入する度に事務機器管理サーバの管理者が前記事務機器管理テーブルに新たにパラメータ情報を加えていくことにより作成されることを特徴とする請求項１または２記載の事務機器使用支援システム。
【請求項４】
前記事務機器に接続された無線送受信機には、本来の事務機器の機能部分に対して前記携帯情報端末からのデータ送受信を行う事務機器使用モードと、前記携帯情報端末に対して位置情報および最適な前記事務機器情報を前記事務機器管理サーバと送受信する事務機器管理モードの、２つのモードを備えることを特徴とする請求項１記載の事務機器使用支援システム。
【請求項５】
前記事務機器管理サーバが、前記携帯情報端末を所有するユーザの位置検出方法として、各々の前記事務機器に接続された前記無線送受信機は前記事務機器管理モードの状態にあり、前記無線送受信機は周辺で通信可能な情報端末を定期的に検索し、検索結果を、前記有線ネットワークを経由して、前記事務機器管理サーバに送信し、前記事務機器管理サーバは全ての前記事務機器から送信されてくる検索結果と、前記事務機器管理テーブルにおける前記事務機器の位置情報を利用して、該当する携帯情報端末の位置情報を検出することを特徴とする請求項１記載の事務機器使用支援システム。
【請求項６】
前記事務機器管理サーバが、前記携帯情報端末を所有するユーザに送信するマップ情報を作成する手段として、前記事務機器管理サーバには、あらかじめ前記事務機器の位置関係が描かれた事務機器レイアウトを用意しておき、前記事務機器管理サーバは、ユーザが文書送信を希望した時点で得られたユーザの位置情報および文書を送信するユーザに送信する前記事務機器情報、および前記事務機器レイアウトにより、文書を送信するユーザに適したマップ情報を作成することを特徴とする請求項１記載の事務機器使用支援システム。
【請求項７】
事務機器管理サーバは、各種事務機器から携帯情報端末の位置情報を事務機器管理テーブルに追加する位置情報処理部と、
各種前記事務機器の情報を有する前記事務機器管理テーブルと、
前記事務機器の割り付けを示した事務機器レイアウト図と、
事務機器情報および前記事務機器レイアウト図からマップ情報を作成するマップ情報作成部と、
ユーザからの事務機器情報要求に応じて、前記事務機器管理テーブルから前記事務機器情報を作成する事務機器情報作成部を有すること特徴とするサーバ。
【請求項８】
事務機器から通信可能な携帯情報端末リストを受信したかの判断を行う処理と、
前記事務機器から事務機器情報要求を受信したかの判断を行う処理と、
事務機器管理テーブルおよび前記事務機器情報要求に含まれるパラメータより事務機器情報を作成する処理と、
作成した前記事務機器情報および事務機器レイアウトよりマップ情報を作成し、前記事務機器情報に追加する処理と、
前記事務機器情報を、有線ネットワークを介して前記事務機器へ送信する処理を実行することを特徴とするプログラム。
【請求項９】
事務機器から通信可能な携帯情報端末リストを受信したかの判断を行う処理と、
前記事務機器から事務機器情報要求を受信したかの判断を行う処理と、
事務機器管理テーブルおよび前記事務機器情報要求に含まれるパラメータより事務機器情報を作成する処理と、
作成した前記事務機器情報および事務機器レイアウトよりマップ情報を作成し、前記事務機器情報に追加する処理と、
前記事務機器情報と、有線ネットワークを介して前記事務機器へ送信する処理を実行するプログラムを記録した記録媒体。
【請求項１０】
事務機器の無線送受信機を事務機器管理モードへ設定する処理と、
周囲無線機器情報収集タイマーのタイムアウトか否かを判断する処理と、
携帯情報端末から事務機器情報要求があるか否かを判断する処理と、
前記携帯情報端末から前記事務機器使用要求があるか否かを判断する処理と、
前記事務機器の前記無線送受信機を前記事務機器使用モードへ設定する処理を実行することを特徴とするプログラム。
【請求項１１】
事務機器の無線送受信機を事務機器管理モードへ設定する処理と、
周囲無線機器情報収集タイマーのタイムアウトか否かを判断する処理と、
携帯情報端末から事務機器情報要求があるか否かを判断する処理と、
前記携帯情報端末から前記事務機器使用要求があるか否かを判断する処理と、
前記事務機器の前記無線送受信機を前記事務機器使用モードへ設定する処理と実行するプログラムを記録した記録媒体。
【発明の詳細な説明】
【０００１】
【発明の属する技術分野】
本発明の事務機器使用支援システム、サーバ、プログラムおよび記録媒体に関し、特に、携帯情報端末から無線を介して特定の事務機器に文書を送信する事務機器使用支援システム、サーバ　、プログラムおよび記録媒体に関する。
【０００２】
【従来の技術】
近年、いわゆるＰＤＡ（Ｐｅｒｓｏｎａｌ　Ｄｉｇｉｔａｌ　Ａｓｓｉｓｔａｎｔ）とよばれる携帯情報端末の普及がめざましい。このような携帯情報端末には携帯電話の接続も可能なものであり、これによりユーザはいつでもどこでも、自分宛の電子メイルを確認することあるいはメイルを送信することが可能になった。また、近年、無線技術も進歩しており、最近ではＢｌｕｅｔｏｏｔｈ　規格と呼ばれる、低消費電力、小型化、低価格を特徴とした規格も制定され、これに準拠した無線製品も普及しはじめている。Ｂｌｕｅｔｏｏｔｈ　規格はＬＡＮ　、ヘッドセット、シリアルケーブル置き換え、ＦＡＸ等、多種多様のアプリケーションに対応しており、携帯情報端末にＢｌｕｅｔｏｏｔｈ　製品を搭載すれば、携帯情報端末から多種多様のアプリケーションデータを無線経由で送信することができ、ユーザの利便性がますます向上することが予想される。しかしながら、この反面、問題点も浮上してきている。
【０００３】
例えば、上記、Ｂｌｕｅｔｏｏｔｈ　無線送受信機を接続した携帯情報端末を持つユーザが、今まで訪問したことの無いオフィスに行き、そこで印刷を希望すると仮定する。そのオフィスにはＢｌｕｅｔｏｏｔｈ　無線送受信機を搭載したプリンタがあるのにもかかわらず、ユーザはどのようなプリンタがどこに存在するのかわからないため時間を費やすことが想像される。また、同様に携帯情報端末から無線経由でＦＡＸ送信をしたいと希望した場合も、どこにどのようなＦＡＸがあるのかわからず、時間を費やすことが予想される。つまり、ユーザは初めて訪問するような出先では、携帯情報端末に接続されたＢｌｕｅｔｏｏｔｈ　を利用して、通常印刷、カラー印刷、ＦＡＸ等さまざまなことができるにもかかわらず、そのオフィスにおける事務機器のスペック、位置等がわからないため、それを探すのに苦労をすることが予想される。
【０００４】
【発明が解決しようとする課題】
上記問題解決に関連する発明として、特開２００１−３２５１８２号公報の「印刷システム、印刷方法及びプログラムを記録したコンピュータ読取可能な記録媒体並びに該印刷システムにおける携帯通信機器、プリンタ、プリンタサーバ及びクライアント」がある。この発明は、携帯情報端末を所有するユーザが、プリンタに対して印刷しようと試みたときに、携帯情報端末およびプリンタに接続された近距離無線通信機器を用いて、印刷を所望する携帯情報端末ユーザに最も近いプリンタを検出し、そのプリンタに出力するというものである。しかしながら、この発明の場合、プリンタのみにしか対応していない。例えばユーザがＦＡＸなどに対して無線にてデータを送信した場合は、本発明は対応していないため不可能であるという課題が残る。かつプリンタを決める要因として、ユーザに最も近いプリンタとしているため、例えば、ユーザがカラー印刷をしたい場合に、仮にカラープリンタが同じフロアに存在しても、最も近い白黒プリンタに出力されてしまう問題も考えられる。
【０００５】
ユーザが印刷を試みるとき、印刷条件はユーザによってまちまちである。例えば、多少画質が悪くても早く印刷したいユーザもいれば、少しくらい時間がかかっても高画質カラーで印刷したいユーザもいる。距離が現在いるところから多少遠くても、画質優先で印刷したいユーザもいる。今まで訪問したことの無いオフィスに行き、そこで印刷を希望するユーザに対しては、「どこに」、「どのような」、事務機器が存在するかを通知することは非常に効率的であり、これを実現するシステムが要求される。
【０００６】
本発明は係る問題に鑑みてなされたものであり、ある携帯端末を持つユーザがオフィスにおける事務機器に無線にてデータを送信したいときに、オフィスにある複数の事務機器の中から、ユーザが送信するデータ種別および現在ユーザがいる位置情報より、ユーザにとって最適の事務機器を選択し、ユーザに通知することを可能とするシステムを提供する。
【０００７】
【課題を解決するための手段】
上記目的を達成するために請求項１記載の事務機器支援システムは、各々が、無線送受信装置および記憶装置を備え、かつ有線ネットワークに接続されている複数の事務用機器と、該事務用機器と無線通信可能な無線送受信装置を備える携帯情報端末と、有線ネットワークに接続されている事務機器管理サーバと、有線ネットワークにより構成されるシステムにおいて、ユーザが携帯情報端末から事務機器対して無線送受信機を介して文書を送信する手段と、ユーザが文書送信を希望したときに、ユーザは所有する携帯情報端末を介して、事務機器管理サーバに対して事務機器情報を要求する手段と、事務機器情報を要求された事務機器管理サーバは、現在のユーザの位置情報およびユーザが送信を希望する文書の種類情報を、携帯情報端末に備えられた無線送受信機、および事務機器に接続された無線送受信機、および有線ネットワークを介して獲得する手段と、事務機器管理サーバが、獲得した情報より、送信を希望するユーザに適した事務機器情報およびマップ情報を作成およびユーザに送信する手段と、事務機器情報を受信したユーザは、それらを利用して、現在の位置において、使用できる最適な事務機器を選択する手段を有することを特徴とする。
【０００８】
請求項２記載の事務機器使用支援システムは、事務機器管理サーバが、現在のユーザの位置情報、およびユーザが送信する文書の種類情報から、そのユーザにとって最適な事務機器情報を作成する手段として、事務機器管理サーバ上に、あらかじめ事務機器管理テーブルを作成しておき、事務機器管理テーブルと、現在のユーザの位置情報、およびユーザが送信する文書の種類情報より、そのユーザにとって最適な事務機器情報を作成することを特徴とする。
【０００９】
請求項３記載の事務機器使用支援システムは、事務機器管理サーバ上の事務機器管理テーブルが、文書を送信するユーザのための最適な事務機器情報を作成するうえで必要な事務機器の種別、性能、位置情報などの事務機器のパラメータといった情報を含み、新規に事務機器を導入する度に事務機器管理サーバの管理者が事務機器管理テーブルに新たにパラメータ情報を加えていくことにより作成されることを特徴とする。
【００１０】
請求項４記載の事務機器使用支援システムは、事務機器に接続された無線送受信機には、本来の事務機器の機能部分に対して携帯情報端末からの　データ送受信を行う事務機器使用モードと、携帯情報端末に対して位置情報および最適な事務機器情報を事務機器管理サーバと送受信する事務機器管理モードの、２つのモードを備えることを特徴とする。
【００１１】
請求項５記載の事務機器使用支援システムは、事務機器管理サーバが、携帯情報端末を所有するユーザの位置検出方法として、各々の事務機器に接続された無線送受信機は請求項４における事務機器管理モードの状態にあり、このモードにおいては、無線送受信機は周辺で通信可能な情報端末を定期的に検索し、検索結果を、有線ネットワークを経由して、事務機器管理サーバに送信し、事務機器管理サーバは全ての事務機器から送信されてくる検索結果と、事務機器管理テーブルにおける事務機器の位置情報を利用して、該当する携帯情報端末の位置情報を検出することを特徴とする。
【００１２】
請求項６記載の事務機器使用支援システムは、事務機器管理サーバが、携帯情報端末を所有するユーザに送信するマップ情報を作成する手段として、事務機器管理サーバには、あらかじめ事務機器の位置関係が描かれた事務機器レイアウトを用意しておき、事務機器管理サーバは、ユーザが文書送信を希望した時点で得られたユーザの位置情報および文書を送信するユーザに送信する事務機器情報、および事務機器レイアウトにより、文書を送信するユーザに適したマップ情報を作成することを特徴とする。
【００１３】
請求項７記載のサーバは、前記事務機器管理サーバは、各種事務機器から携帯情報端末の位置情報を事務機器管理テーブルに追加する位置情報処理部と、各種事務機器の情報を有する事務機器管理テーブルと、事務機器の割り付けを示した事務機器レイアウト図と、事務機器情報および前記事務機器レイアウト図からマップ情報を作成するマップ情報作成部と、ユーザからの事務機器情報要求に応じて、事務危機管理テーブルから事務機器情報を作成する事務機器情報作成部を有すること特徴とする。
【００１４】
請求項８記載のプログラムは、事務機器から通信可能な携帯情報端末リストを受信したかの判断を行う処理と、事務機器から事務機器情報要求を受信したかの判断を行う処理と、事務機器管理テーブルおよび事務機器情報要求に含まれるパラメータより事務機器情報を作成する処理と、作成した事務機器情報および事務機器レイアウトよりマップ情報を作成し、事務機器情報に追加する処理と、事務機器情報を、有線ネットワークを介して事務機器へ送信する処理を実行することを特徴とする。
【００１５】
請求項９記載の記録媒体は、事務機器から通信可能な携帯情報端末リストを受信したかの判断を行う処理と、事務機器から事務機器情報要求を受信したかの判断を行う処理と、事務機器管理テーブルおよび事務機器情報要求に含まれるパラメータより事務機器情報を作成する処理と、作成した事務機器情報および事務機器レイアウトよりマップ情報を作成し、事務機器情報に追加する処理と、事務機器情報と、有線ネットワークを介して事務機器へ送信する処理を実行するプログラムを記録したことを特徴とする。
【００１６】
請求項１０記載のプログラムは、事務機器の無線送受信機を事務機器管理モードへ設定する処理と、周囲無線機器情報収集タイマーのタイムアウトか否かを判断する処理と、携帯情報端末から事務機器情報要求があるか否かを判断する処理と、携帯情報端末から事務機器使用要求があるか否かを判断する処理と、事務機器の無線送受信機を事務機器使用モードへ設定する処理を実行することを特徴とする。
【００１７】
請求項１１記載の記録媒体は、事務機器の無線送受信機を事務機器管理モードへ設定する処理と周囲無線機器情報収集タイマーのタイムアウトか否かを判断する処理と、携帯情報端末から事務機器情報要求があるか否かを判断する処理と、携帯情報端末から事務機器使用要求があるか否かを判断する処理と、事務機器の無線送受信機を事務機器使用モードへ設定する処理と実行するプログラムを記録したことを特徴とする。
【００１８】
【発明の実施の形態】
図１は、システムの全体構成図である。
事務機器使用支援システムは、有線ネットワーク１と事務機器管理サーバ２、携帯情報端末３、無線送受信機４、ＬＡＮアクセスポイント５、符号６から９に示した事務機器から構成されている。
事務機器６から９は、例として事務機器６は白黒レーザプリンタ、事務機器７はコピー機、ＦＡＸ、事務機器８はカラーレーザプリンタ、事務機器９はプリンタ、コピー、ＦＡＸ機能を備えた多機能複合機を示す。
携帯情報端末３は、無線送受信機４を介してＬＡＮアクセスポイントを通じて有線ネットワーク１に接続する。事務機器６から９は有線ネットワーク１に接続されたオフィス内の各種事務機器である。
【００１９】
図２は、事務機器管理サーバの構成を示した図である。
事務機器管理サーバ２は、位置情報処理部１０と事務機器管理テーブル１１、事務機器レイアウト図１２、マップ情報作成部１３、事務機器情報作成部１４、ネットワークインターフェース１５から構成されている。
位置情報処理部１０は、有線ネットワーク１に接続された各種事務機器６〜９から携帯情報端末３の位置情報をネットワークインターフェース１５を介して取得し、事務機器管理テーブル１１へ追加する。
事務機器管理テーブル１１は、有線ネットワーク１に接続された各種事務機器６〜９の情報が含まれており、事務機器管理サーバ２が、この情報を利用して、携帯情報端末３に送信する事務機器情報を作成する。
事務機器レイアウト図１２は、事務機器６〜９の設置場所のレイアウトであり、携帯情報端末３に送信するマップ情報を作成するためのものである。
マップ情報作成部１３は、事務機器情報および事務機器レイアウト図１２から携帯情報端末に送信するマップ情報を作成する。
事務機器情報作成部１４は、ユーザからの事務機器情報要求に応じて、事務機器管理テーブル１１より事務機器情報を作成する。
ネットワークインターフェース１５は、ネットワークに接続するためのインターフェースである。
【００２０】
図３は、事務機器の構成を示した図である。
事務機器は、事務機器本来の処理部２０と無線インターフェースモード切替部２１、無線通信用プロトコルスタック２２、近距離無線機２３、位置情報およびＭＡＰ情報処理部２４、ネットワークインターフェース２５、データ用インターフェース２６、事務機器管理用インターフェース２７から構成されている。
事務機器６〜９に接続された無線送受信機４も携帯情報端末３に接続された無線送受信機４と同様に、その動作モードにおいて事務機器管理モードと通常データ通信モードの二つのモードを備えている。
事務機器本来の処理部２０は、例えば事務機器がＦＡＸの場合は、ＦＡＸ処理部分がこの部分に相当する。この処理部は通常データ通信モード時に使用される。
無線インターフェースモード切替部２１は無線送受信機の動作モードを切り替える部分である。
無線通信用プロトコルスタック２２は、無線通信をするためのプロトコルスタックである。
近距離無線機２３は、例えばＢｌｕｅｔｏｏｔｈ規格に準拠した無線送受信機等である。
位置情報およびＭＡＰ情報処理部２４は、主に情報端末が事務機器管理モード動作時に使用される。
ネットワークインターフェース２５は、ネットワークインターフェースに接続するためのインターフェースである。
データ用インターフェース２６は、携帯情報端末３が事務機器６〜９間とのデータ通信用のインターフェースである。
事務機器管理用インターフェース２７は、事務機器６〜９を管理するために事務機器６〜９と接続されているインターフェースである。
【００２１】
図４は、事務機器情報の例を示した図である。
事務機器情報の例にはユーザの使用候補機器が示されている。各々の使用候補機器情報には、プリンタ機能の有無、ＦＡＸ機能の有無、コピー機能の有無、カラー／白黒機能の有無、画質（ｄｐｉ　）、印刷スピード（枚／分）、種別、設置場所が示されている。
【００２２】
図５は、事務機器情報に含まれるマップ情報の例を示した図である。
マップ情報には、ユーザが現在いるオフィス内の地図情報が描かれ、その地図情報内にユーザの現在位置および３つの使用候補機器の位置情報が示されている。ユーザは３つの使用候補機器の位置情報を参考にし、使用するプリンタを決定する。
【００２３】
図６は、携帯情報端末の構成を示した図である。
携帯情報端末３に接続された無線送受信機４には、その動作モードにおいて事務機器管理モードと通常データ通信モードの二つのモードを備えている。
携帯情報端末事務機器用データ処理部３０は、通常データ通信モード時に使用される。
無線インターフェースモード切替部３１は、無線送受信機４の動作モードを切り替える部分である。
無線通信用プロトコルスタック３２は、無線通信をするためのプロトコルスタックである。
近距離無線機３３は、例えばＢｌｕｅｔｏｏｔｈ　規格に準拠した無線送受信機等である。
事務機器情報および位置情報処理部３４は、主に情報端末が事務機器管理モード動作時に使用される。
ユーザインターフェース部３５は、ユーザと携帯情報端末が情報をやり取りするためのインターフェースである。
データ用インターフェース３６は、携帯情報端末と事務機器間とのデータ通信用のインターフェースである。
事務機器管理用インターフェース３７は、事務機器情報や位置情報の通信用のインターフェースである。
【００２４】
図７は、事務機器管理テーブルの例を示した図である。
事務機器管理テーブルにおける「カラー／白黒・画質」パラメータおよび「設置位置」、「周囲に存在する携帯情報端末」を使用し、カラー対応しており、画質もよく、かつユーザの現在位置に近いところに設置してあるプリンタのリストを事務機器情報として作成する。
【００２５】
図８は、事務機器のレイアウト図を示した図である。
事務機器６〜９のレイアウト図と事務機器管理サーバ２が作成した事務機器情報をもとに携帯情報端末３に送信するマップ情報を作成する。
【００２６】
図９は、事務機器情報要求の例を示した図である。
ユーザが、事務機器情報要求する際に、例えば「事務機器情報を取得するために利用する事務機器」として白黒プリンタを指定し、また優先パラメータとして「カラー、画質」を指定する。
【００２７】
図１０は、事務機器側のプログラムのフローチャートである。
事務機器６〜９の無線送受信機４を事務機器管理モードへ設定する（ステップＳ１）。次に、周囲無線機器情報収集タイマースタートをさせ（ステップＳ２）、周囲無線機器情報収集タイマーがタイムアウトになったかどうかの判断を行う（ステップＳ３）。周囲無線機器情報収集タイマーがタイムアウトの場合（ステップＳ３／ＹＥＳ）、周囲無線機器情報収集処理を行う（ステップＳ４）。周囲無線機器情報処理については図１１で示す。次にタイマーをクリアして再スタートをし（ステップＳ５）、ステップＳ３の前に戻る。周囲無線機器情報収集タイマーがタイムアウトでない場合（ステップＳ３／ＮＯ）、携帯情報端末３から事務機器情報要求があるか否かの判断をする（ステップＳ７）。携帯情報端末３から事務機器情報要求がある場合（ステップＳ７／ＹＥＳ）、事務機器側事務機器情報要求処理を行い（ステップＳ６）、携帯情報端末３から事務機器使用要求があるか否かの判断をする（ステップＳ８）。携帯情報端末３から事務機器情報要求がない場合（ステップＳ７／ＮＯ）、携帯情報端末３から事務機器使用要求があるか否かの判断を行う（ステップＳ８）。携帯情報端末３から事務機器使用要求がない場合は（ステップＳ８／ＮＯ）、ステップＳ３の前に戻る。携帯情報端末から事務機器使用要求がある場合（ステップＳ８／ＹＥＳ）、事務機器６〜９の無線送受信機４を事務機器使用モードへ設定する（ステップＳ９）。次に、事務機器使用終了を待ち（ステップＳ１０）、事務機器６〜９の使用終了の判断を行う（ステップＳ１１）。事務機器６〜９の使用を継続する場合は（ステップＳ１１）、事務機器使用終了待ち（ステップＳ１０）の前に戻る。事務機器６〜９の使用終了の場合（ステップＳ１１）、事務機器６〜９の無線送受信機４を事務機器管理モードへ設定し（ステップＳ１２）、周囲無線機器情報収集タイマーのタイムアウトの判断部（ステップＳ３）に戻る。
【００２８】
図１１は、周囲無線機器情報収集処理のフローチャートを示した図である。
周囲無線機器情報収集処理は、事務機器に接続された無線送受信機４を介して、通信可否確認要求を周辺の携帯情報端末に接続された無線送受信機４に対してブロードキャストする（ステップＳ２０）。次に、情報収集タイマーをスタートさせ（ステップＳ２１）、周囲の携帯情報端末に接続された無線送受信機４から返答が来たか否かの判断を行う（ステップＳ２２）。返答が来た場合は（ステップＳ２２／ＹＥＳ）、返答のあった携帯情報端末を「通信可能な携帯情報端末リスト」に追加し（ステップＳ２３）、タイムアウトかどうかの判断を行う（ステップＳ２４）。返答がない場合（ステップＳ２２／ＮＯ）、タイムアウトかどうかの判断を行う（ステップＳ２４）。タイムアウトでない場合（ステップＳ２４／ＮＯ）、ステップＳ２２の前に戻る。タイムアウトの場合（ステップＳ２４／ＹＥＳ）、「通信可能な携帯情報端末リスト」を事務機器管理サーバ２へ有線ネットワークを介して送信し（ステップＳ２５）、終了する。
【００２９】
図１２は、携帯情報端末側のプログラムフローチャートを示した図である。
携帯情報端末プログラムは、まず事務機器の無線送受信機４を事務機器管理モードへ設定する（ステップＳ３０）。次に、周囲の事務機器に接続された無線送受信機４から通信可否確認要求が来たかどうかの判断を行う（ステップＳ３１）。通信可否確認要求が来た場合（ステップＳ３１／ＹＥＳ）、通信可否確認要求を送信した無線送受信機４に対して、通信可能であると応答し（ステップＳ３２）、ユーザより事務機器情報要求が入力されたか否かの判断をする（ステップＳ３３）。周囲の事務機器に接続された無線送受信機４から通信可否確認要求が来ない場合（ステップＳ３１／ＮＯ）、ユーザより事務機器情報要求が入力されたかどうかの判断を行う（ステップＳ３３）。事務機器情報要求が入力された場合は（ステップＳ３３／ＹＥＳ）、携帯情報端末側事務機器情報要求処理を行い（ステップＳ３４）、ユーザより事務機器使用要求が入力されたかどうかの判断を行う（ステップＳ３５）。事務機器情報要求が入力されなかった場合（ステップＳ３３／ＮＯ）、ユーザより事務機器使用要求が入力されたかどうかの判断を行う（ステップＳ３５）。事務機器使用要求が入力されなかった場合（ステップＳ３５／ＮＯ）、ステップＳ３１の前に戻る。事務機器使用要求が入力された場合（ステップＳ３５／ＹＥＳ）、携帯情報端末３の無線送受信機４を事務機器使用モードへ設定し、対象の事務機器６〜９に無線接続し、事務機器の使用を開始する（ステップＳ３６）。さらに、事務機器使用終了待ちとなり（ステップＳ３７）、事務機器終了の判断を行う（ステップＳ３８）。事務機器の使用終了でない場合（ステップＳ３８／ＮＯ）、ステップＳ３７の前に戻る。事務機器の使用を終了する場合（ステップＳ３８／ＹＥＳ）、事務機器６〜９の無線送受信機４を事務機器管理モードへ設定し（ステップＳ３９）、ステップＳ３０の前に戻る。
【００３０】
図１３は、事務機器管理サーバの動作を示したフローチャートである。
事務機器管理サーバプログラムは、事務機器から「通信可能な携帯情報端末リスト」を受信したかどうかの判断を行う（ステップＳ４０）。通信可能な携帯情報端末リストを受信した場合は（ステップＳ４０／ＹＥＳ）、事務機器管理テーブル１１に情報を追加し（ステップＳ４１）、ステップＳ４０の前に戻る。通信可能な携帯情報端末リストを受信しなかった場合は（ステップＳ４０／ＮＯ）、事務機器６〜９から「事務機器情報要求」を受信したかどうかの判断を行う（ステップＳ４２）。「事務機器情報要求」を受信しなかった場合は（ステップＳ４２／ＮＯ）、ステップＳ４０の前に戻る。事務機器情報要求を受信した場合は（ステップＳ４２／ＹＥＳ）、事務機器管理テーブルおよび「事務機器情報要求」に含まれるパラメータより事務機器情報を作成する（ステップＳ４３）。次に作成した事務機器情報および事務機器レイアウトよりマップ情報を作成し、事務機器情報に追加する（ステップＳ４４）。さらに、事務機器情報を有線ネットワーク１を介して事務機器へ送信し（ステップＳ４５）、ステップＳ４０の前に戻る。
【００３１】
図１４は、携帯情報端末側事務機器情報要求処理の動作を示したフローチャートである。
携帯情報端末側事務機器情報要求処理は、ユーザが指定した事務機器６〜９に接続されている無線送受信機４に対して事務機器情報要求を送信し、事務機器情報を待つ（ステップＳ５０）。次にウェイティングタイマーがスタートする（ステップＳ５１）。さらに、事務機器情報を受信したかどうかの判断をする（ステップＳ５２）。事務機器情報を受信した場合は（ステップＳ５２／ＹＥＳ）、事務機器情報受信結果をユーザに通知し（ステップＳ５４）、終了となる。事務機器情報を受信していない場合は（ステップ５２／ＮＯ）、ウェイティングタイマーがタイムアウトかどうかの判断をする（ステップＳ５３）。ウェイティングタイマーがタイムアウトでない場合（ステップＳ５３／ＮＯ）、ステップＳ５２の前に戻る。ウェイティングタイマーがタイムアウトの場合（ステップＳ５３／ＹＥＳ）、事務機器情報を受信失敗したことをユーザに通知し（ステップＳ５５）、終了となる。
【００３２】
図１５は、事務機器側事務機器情報要求処理の動作を示したフローチャートである。
事務機器側事務機器情報要求処理は、事務機器管理サーバ２に対して有線ネットワーク１を介して事務機器情報要求を送信し、事務機器情報を待つ（ステップＳ６０）。次にウェイティングタイマーがスタートする（ステップＳ６１）。次に、事務機器情報を受信したかどうかの判断をする（ステップＳ６２）。事務機器情報を受信した場合は（ステップＳ６２／ＹＥＳ）、事務機器情報受信結果を、無線を介して要求送信元をユーザに送信し（ステップＳ６４）、終了となる。事務機器情報を受信しなかった場合は（ステップＳ６２／ＮＯ）、ウェイティングタイマーがタイムアウトかどうかの判断を行う（ステップＳ６３）。ウェイティングタイマーがタイムアウトでない場合（ステップＳ６３／ＮＯ）、ステップＳ６２の前に戻る。
ウェイティングタイマーがタイムアウトの場合（ステップＳ６３／ＹＥＳ）、事務機器情報受信失敗を、無線を介して要求送信元をユーザに送信し（ステップＳ６５）、終了となる。
【００３３】
［実施例］
ユーザが、初めて訪問するある事業所にてユーザが所有する携帯情報端末３よりカラー文書を印刷することを希望したとき、本システムを利用することにより、事務機器管理サーバ２からユーザの周囲の事務機器情報を得て、最終的にカラープリンタが最適と見なし、カラープリンタに対して携帯情報端末３から無線を介してデータを送信し、印刷を行う。なお、携帯情報端末３およびカラープリンタには近距離無線送受信機４が接続されている。
【００３４】
ユーザが行う事務機器情報要求について説明する。
ユーザが携帯情報端末３からカラー文書の印刷を希望した時に、ユーザは携帯情報端末３に接続された無線送受信機４を介して周囲で無線通信可能４な事務機器６〜９を検索する。検索結果が白黒プリンタの場合、ユーザは携帯情報端末３のユーザインターフェースを介して「事務機器情報要求」を命令する。この際に、ユーザは「事務機器情報要求」に含まれるパラメータとして、「事務機器情報を取得するために利用する事務機器」として白黒プリンタを指定し、また優先パラメータとして「カラー、画質」を指定する。
【００３５】
次に携帯情報端末３は白黒プリンタに対して、「事務機器情報要求」を無線送受信機４を介して送信する。「事務機器情報要求」を受信した白黒プリンタは有線ネットワーク１を介して事務機器管理サーバ２へ送信する。
「事務機器情報要求」を受信した事務機器管理サーバ２は、「事務機器情報要求」に含まれる優先パラメータ「カラー、画質」をもとに事務機器管理サーバ２内に記憶されている事務機器管理テーブル１１を利用して事務機器情報を作成する。
【００３６】
次に、事務機器管理サーバ２は、作成した事務機器情報を有線ネットワーク１および白黒プリンタおよび無線送受信機４を介して携帯情報端末３に送信する。事務機器管理情報を受信した携帯情報端末３は、ユーザに受信結果を通知する。ユーザは通知された受信結果を利用して最適のプリンタとしてカラープリンタを選択し、カラープリンタに接続された無線送受信機４と携帯情報端末３に対して、携帯情報端末３から無線送受信機４を介して印刷データを送信する。
【００３７】
事務機器情報の内容について説明する。
事務機器情報は、ユーザが最終的に事務機器管理サーバ２から受信する情報であり、事務機器情報を利用してユーザが使用する事務機器６〜９を決定する。事務機器情報には、ユーザが必要とする事務機器のみが含まれる。また、各々の事務機器６〜９の位置情報も「マップ情報」として含まれる。
【００３８】
事務機器情報の作成方法について説明する。
事務機器情報は事務機器管理サーバ２によって作成される。ユーザの携帯情報端末より送信された「事務情報要求」は事務機器管理サーバ２におけるネットワークインターフェースを介して受信される（２−Ｄ）。事務機器管理サーバ２は、「事務機器情報要求」に含まれる優先パラメータ「カラー、画質」をもとに事務機器管理テーブル１２を用いて事務機器情報を作成する（２−Ｅ）。事務機器管理テーブル１２は事務機器管理サーバ２内に記憶されている。
【００３９】
事務機器管理テーブル１２には、オフィス内の事務機器６〜９および各々の事務機器６〜９におけるパラメータが示されている。このパラメータは事務機器６〜９の性能を示しており、例えばプリンタ機能の有無、ＦＡＸ機能の有無、コピー機能の有無、カラー／白黒、画質（ｄｐｉ　）、印刷速度（枚／分）、設置位置等である。事務機器管理サーバ２の管理者は、新しい事務機器がオフィスに納入される度に新しい事務機器の分をこの事務機器管理テーブル１１にネットワークインターフェースを介して追加するようにする（２−Ｂ）。
【００４０】
また、事務機器管理サーバ２は事務機器管理テーブル１１のほかに事務機器レイアウト図１２も保持している。事務機器管理サーバ２は作成した事務機器情報および事務機器レイアウト図１２からマップ情報を作成する（２−Ｃ、２−Ｈ、および２−Ｉ）。事務機器管理サーバ２は、作成した事務機器情報およびマップ情報をユーザが所有する携帯情報端末３に送信する（２−Ｇおよび２−Ｆ）。
【００４１】
【発明の効果】
以上のことから明らかなように、請求項１記載の発明は、あるユーザがオフィスにおいて携帯情報端末を用いて無線にて事務機器を利用したい場合に、ユーザにとって最適な事務機器情報を提供することにより、ユーザがオフィスにおける事務機器について詳しく知らなくても最適の事務機器を使用することができる。
【００４２】
請求項２記載の発明は、事務機器情報作成の手段として事務機器管理サーバに保持された事務機器管理テーブルを使用することにより、本発明におけるシステム管理が容易になるとともに、簡易に本発明の実現が可能になる。
【００４３】
請求項３記載の発明は、事務機器管理テーブルの内容として事務機器の種別、性能、位置情報を含めることにより、システムを利用するユーザにとって、より適切な情報を提供できる。
【００４４】
請求項４記載の発明は、無線送受信機のモードとして２つのモードを用意することによりシステムの実現可能となるとともに、２つのモードに分けて動作を分けることによりメンテナンスも簡易となる。
【００４５】
請求項５記載の発明は、ユーザの位置検出方法として、オフィスに設置された事務機器を利用することにより、簡易にシステムの実現が可能となる。
【００４６】
請求項６記載の発明は、マップ情報作成手段として、事務機器管理サーバが作成した事務機器情報およびユーザの位置情報を併用することによりユーザにとってより信頼性の高いマップ情報を作成できるとともに、事務機器管理サーバに記憶された事務機器レイアウトを併用することにより、マップ情報作成時の事務機器管理サーバの負荷が軽減される。
【００４７】
請求項７記載の発明は、請求項１から６記載の事務機器使用支援システムに適したサーバを提供することができる。
【００４８】
請求項８記載の発明は、請求項１から６記載の事務機器使用支援システムに適したプログラムを提供することができる。
【００４９】
請求項９記載の発明は、請求項１から６記載の事務機器使用支援システムに適したサーバに搭載されるプログラムが記録された記録媒体を提供することができる。
【００５０】
請求項１０記載の発明は、請求項１から６記載の事務機器使用支援システムに適したプログラムを提供することができる。
【００５１】
請求項１１記載の発明は、請求項１から６記載の事務機器使用支援システムに適したサーバに搭載されるプログラムが記録された記録媒体を提供することができる。
【図面の簡単な説明】
【図１】本発明の実施形態におけるシステムの全体構成を示した図である。
【図２】本発明の実施形態における事務機器管理サーバの機能構成を示した図である。
【図３】本発明の実施形態における事務機器側の機能構成を示した図である。
【図４】本発明の実施形態における事務機器情報の例を示した図である。
【図５】本発明の実施形態におけるマップ情報の例を示した図である。
【図６】本発明の実施形態における携帯情報端末側の構成を示した図である。
【図７】本発明の実施形態における事務機器管理テーブルの例を示した図である。
【図８】本発明の実施形態における事務機器レイアウトを示した図である。
【図９】本発明の実施形態における事務機器情報要求の例を示した図である。
【図１０】本発明の実施形態における事務機器側のプログラムの動作を示したフローチャートである。
【図１１】本発明の実施形態における周囲無線機器情報収集処理の動作を示したフローチャートである。
【図１２】本発明の実施形態における携帯情報端末側の動作を示したフローチャートである。
【図１３】本発明の実施携帯における事務機器管理サーバのプログラムの動作を示したフローチャートである。
【図１４】本発明の実施形態における携帯情報側事務機器情報要求処理のプログラムの動作を示したフローチャートである。
【図１５】本発明の実施形態における事務機器側事務機器情報要求処理のプログラムの動作を示した図である。
【符号の説明】
１　有線ネットワーク
２　事務機器管理サーバ
３　携帯情報端末
４　無線送受信機
５　ＬＡＮアクセスポイント
６、７、８、９　事務機器
【図１】
2004070518.tif 000003
【図２】
2004070518.tif 000004
【図３】
2004070518.tif 000005
【図４】
2004070518.tif 000006
【図５】
2004070518.tif 000007
【図６】
2004070518.tif 000008
【図７】
2004070518.tif 000009
【図８】
2004070518.tif 000010
【図９】
2004070518.tif 000011
【図１０】
2004070518.tif 000012
【図１１】
2004070518.tif 000013
【図１２】
2004070518.tif 000014
【図１３】
2004070518.tif 000015
【図１４】
2004070518.tif 000016
【図１５】
2004070518.tif 000017